(57)【要約】      （修正有）【課題】エアサスペンションを搭載した車両において、エアサスペンションが作動した場合にも、タイヤ空気圧の低下を正確に検出することができるタイヤ空気圧異常警報方法、装置およびプログラムを提供する。【解決手段】エアサスペンションを搭載した車両において、左右輪におけるストロークの高さの差に基づいて、エアサスペンションの影響で各タイヤにかかる荷重が変化し、タイヤの車輪回転速度に影響を及ぼしたかどうかを判断し、エアサスペンションが影響を及ぼした場合には、タイヤ空気圧の低下の判定を行うためのしきい値を増加させる工程を含むタイヤ空気圧異常警報方法である。【選択図】図３
2008044600.tif 000002
【特許請求の範囲】
【請求項１】
車両に装着したタイヤ空気圧低下を知らせるタイヤ空気圧異常警報方法であって、
エアサスペンションを搭載した車両において、
左右輪におけるストロークの高さの差に基づいて、エアサスペンションの影響で各タイヤにかかる荷重が変化し、タイヤの車輪回転速度に影響を及ぼしたかどうかを判断し、エアサスペンションが影響を及ぼした場合には、タイヤ空気圧の低下の判定を行わない工程
を含むタイヤ空気圧異常警報方法。
【請求項２】
車両に装着したタイヤ空気圧低下を知らせるタイヤ空気圧異常警報方法であって、
エアサスペンションを搭載した車両において、
左右輪におけるストロークの高さの差に基づいて、エアサスペンションの影響で各タイヤにかかる荷重が変化し、タイヤの車輪回転速度に影響を及ぼしたかどうかを判断し、エアサスペンションが影響を及ぼした場合には、タイヤ空気圧の低下の判定を行うためのしきい値を増加させる工程
を含むタイヤ空気圧異常警報方法。
【請求項３】
車両に装着したタイヤ空気圧低下を知らせるタイヤ空気圧異常警報方法であって、
エアサスペンションを搭載した車両において、
左右輪におけるストロークの高さの差に基づいて、エアサスペンションの影響で各タイヤにかかる荷重が変化し、タイヤの車輪回転速度に影響を及ぼしたかどうかを判断し、エアサスペンションが影響を及ぼした場合には、タイヤ空気圧の低下の判定を行うための判定値を補正する工程
を含むタイヤ空気圧異常警報方法。
【請求項４】
車両に装着したタイヤ空気圧低下を知らせるタイヤ空気圧異常警報装置であって、
エアサスペンションを搭載した車両において、
左右輪におけるストロークの高さの差に基づいて、エアサスペンションの影響で各タイヤにかかる荷重が変化し、タイヤの車輪回転速度に影響を及ぼしたかどうかを判断し、エアサスペンションが影響を及ぼした場合には、タイヤ空気圧の低下の判定を行わない手段
を有するタイヤ空気圧異常警報装置。
【請求項５】
車両に装着したタイヤ空気圧低下を知らせるタイヤ空気圧異常警報装置であって、
エアサスペンションを搭載した車両において、
左右輪におけるストロークの高さの差に基づいて、エアサスペンションの影響で各タイヤにかかる荷重が変化し、タイヤの車輪回転速度に影響を及ぼしたかどうかを判断し、エアサスペンションが影響を及ぼした場合には、タイヤ空気圧の低下の判定を行うためのしきい値を増加させる手段
を有するタイヤ空気圧異常警報装置。
【請求項６】
車両に装着したタイヤ空気圧低下を知らせるタイヤ空気圧異常警報装置であって、
エアサスペンションを搭載した車両において、
左右輪におけるストロークの高さの差に基づいて、エアサスペンションの影響で各タイヤにかかる荷重が変化し、タイヤの車輪回転速度に影響を及ぼしたかどうかを判断し、エアサスペンションが影響を及ぼした場合には、タイヤ空気圧の低下の判定を行うための判定値を補正する手段
を有するタイヤ空気圧異常警報装置。
【請求項７】
車両に装着したタイヤ空気圧低下を知らせるタイヤ空気圧異常警報プログラムであって、
エアサスペンションを搭載した車両において、
コンピュータに、左右輪におけるストロークの高さの差に基づいて、エアサスペンションの影響で各タイヤにかかる荷重が変化し、タイヤの車輪回転速度に影響を及ぼしたかどうかを判断し、エアサスペンションが影響を及ぼした場合には、タイヤ空気圧の低下の判定を行わない手順
を実行させるためのタイヤ空気圧異常警報プログラム。
【請求項８】
車両に装着したタイヤ空気圧低下を知らせるタイヤ空気圧異常警報プログラムであって、
エアサスペンションを搭載した車両において、
コンピュータに、左右輪におけるストロークの高さの差に基づいて、エアサスペンションの影響で各タイヤにかかる荷重が変化し、タイヤの車輪回転速度に影響を及ぼしたかどうかを判断し、エアサスペンションが影響を及ぼした場合には、タイヤ空気圧の低下の判定を行うためのしきい値を増加させる手順
を実行させるためのタイヤ空気圧異常警報プログラム。
【請求項９】
車両に装着したタイヤ空気圧低下を知らせるタイヤ空気圧異常警報プログラムであって、
エアサスペンションを搭載した車両において、
コンピュータに、左右輪におけるストロークの高さの差に基づいて、エアサスペンションの影響で各タイヤにかかる荷重が変化し、タイヤの車輪回転速度に影響を及ぼしたかどうかを判断し、エアサスペンションが影響を及ぼした場合には、タイヤ空気圧の低下の判定を行うための判定値を補正する手順
を実行させるためのタイヤ空気圧異常警報プログラム。
【発明の詳細な説明】
【技術分野】
【０００１】
本発明は、タイヤ空気圧異常警報方法、装置およびプログラムに関する。
【背景技術】
【０００２】
従来、タイヤ空気圧の低下を検出し、警報を発するタイヤ空気圧異常警報方法は、減圧したタイヤの回転速度が正常空気圧のタイヤの回転速度と比較して速くなることを利用し、各タイヤの回転速度から、たとえば、式（１）により計算される判定値（ＤＥＬ）の変動により、タイヤ空気圧が低下しているかどうかを検出し、タイヤ空気圧が低下していることを検出した場合に警報を発している。なお、式（１）において、ＦＬは左前車輪速度、ＦＲは右前車輪速度、ＲＬは左後車輪速度、ＲＲは右後車輪速度を示す。
ＤＥＬ＝（（ＦＬ＋ＲＲ）／（ＦＲ＋ＲＬ）−１）×１００                （１）
【０００３】
この方法において、たとえば、従動輪の空気圧低下を判定するためのしきい値と、駆動輪の空気圧低下を判定するためのしきい値とに差をつける方法などが知られている（特許文献１参照）。
【０００４】
しかしながら、エアサスペンションを搭載した車両では、エアサスペンションが作動し、左側と、右側において、ストロークの高さが異なる場合、左右のそれぞれのタイヤにかかる荷重が変化する。また、タイヤの動荷重半径は、タイヤにかかる荷重によって相違し、タイヤにかかる荷重が大きくなるほど、回転速度が速くなることが知られている。
【０００５】
したがって、たとえば、エアサスペンションが作動しているときに、ある１輪のタイヤの回転速度が速くなった場合、タイヤの空気圧低下によるものなのか、エアサスペンションが作動しているためなのかが判断できずに、誤報や未警報につながるという問題があった。
【０００６】
【特許文献１】特開２００３−５４２３０号公報
【発明の開示】
【発明が解決しようとする課題】
【０００７】
本発明は、エアサスペンションを搭載した車両において、エアサスペンションが作動した場合にも、タイヤ空気圧の低下を正確に検出することができるタイヤ空気圧異常警報方法、装置およびプログラムを提供することを目的とする。
【課題を解決するための手段】
【０００８】
本発明は、エアサスペンションを搭載した車両において、左右輪におけるストロークの高さの差に基づいて、エアサスペンションの影響で各タイヤにかかる荷重が変化し、タイヤの車輪回転速度に影響を及ぼしたかどうかを判断し、エアサスペンションが影響を及ぼした場合には、タイヤ空気圧の低下の判定を行わない工程を含むタイヤ空気圧異常警報方法に関する。
【０００９】
本発明は、エアサスペンションを搭載した車両において、左右輪におけるストロークの高さの差に基づいて、エアサスペンションの影響で各タイヤにかかる荷重が変化し、タイヤの車輪回転速度に影響を及ぼしたかどうかを判断し、エアサスペンションが影響を及ぼした場合には、タイヤ空気圧の低下の判定を行うためのしきい値を増加させる工程を含むタイヤ空気圧異常警報方法に関する。
【００１０】
本発明は、エアサスペンションを搭載した車両において、左右輪におけるストロークの高さの差に基づいて、エアサスペンションの影響で各タイヤにかかる荷重が変化し、タイヤの車輪回転速度に影響を及ぼしたかどうかを判断し、エアサスペンションが影響を及ぼした場合には、タイヤ空気圧の低下の判定を行うための判定値を補正する工程を含むタイヤ空気圧異常警報方法に関する。
【００１１】
また、本発明は、エアサスペンションを搭載した車両において、左右輪におけるストロークの高さの差に基づいて、エアサスペンションの影響で各タイヤにかかる荷重が変化し、タイヤの車輪回転速度に影響を及ぼしたかどうかを判断し、エアサスペンションが影響を及ぼした場合には、タイヤ空気圧の低下の判定を行わない手段を有するタイヤ空気圧異常警報装置に関する。
【００１２】
本発明は、エアサスペンションを搭載した車両において、左右輪におけるストロークの高さの差に基づいて、エアサスペンションの影響で各タイヤにかかる荷重が変化し、タイヤの車輪回転速度に影響を及ぼしたかどうかを判断し、エアサスペンションが影響を及ぼした場合には、タイヤ空気圧の低下の判定を行うためのしきい値を増加させる手段を有するタイヤ空気圧異常警報装置に関する。
【００１３】
本発明は、エアサスペンションを搭載した車両において、左右輪におけるストロークの高さの差に基づいて、エアサスペンションの影響で各タイヤにかかる荷重が変化し、タイヤの車輪回転速度に影響を及ぼしたかどうかを判断し、エアサスペンションが影響を及ぼした場合には、タイヤ空気圧の低下の判定を行うための判定値を補正する手段を有するタイヤ空気圧異常警報装置に関する。
【００１４】
さらに、本発明は、エアサスペンションを搭載した車両において、コンピュータに、左右輪におけるストロークの高さの差に基づいて、エアサスペンションの影響で各タイヤにかかる荷重が変化し、タイヤの車輪回転速度に影響を及ぼしたかどうかを判断し、エアサスペンションが影響を及ぼした場合には、タイヤ空気圧の低下の判定を行わない手順を実行させるためのタイヤ空気圧異常警報プログラムに関する。
【００１５】
本発明は、エアサスペンションを搭載した車両において、コンピュータに、左右輪におけるストロークの高さの差に基づいて、エアサスペンションの影響で各タイヤにかかる荷重が変化し、タイヤの車輪回転速度に影響を及ぼしたかどうかを判断し、エアサスペンションが影響を及ぼした場合には、タイヤ空気圧の低下の判定を行うためのしきい値を増加させる手順を実行させるためのタイヤ空気圧異常警報プログラムに関する。
【００１６】
本発明は、エアサスペンションを搭載した車両において、コンピュータに、左右輪におけるストロークの高さの差に基づいて、エアサスペンションの影響で各タイヤにかかる荷重が変化し、タイヤの車輪回転速度に影響を及ぼしたかどうかを判断し、エアサスペンションが影響を及ぼした場合には、タイヤ空気圧の低下の判定を行うための判定値を補正する手順を実行させるためのタイヤ空気圧異常警報プログラムに関する。
【発明の効果】
【００１７】
本発明によれば、左右輪のストロークの高さの差に基づいて、エアサスペンションの影響で各タイヤにかかる荷重が変化し、タイヤの車輪回転速度に影響を及ぼしたかどうかを判断し、タイヤ空気圧の低下の判定手段を変更することにより、エアサスペンションを搭載した車両において、エアサスペンションが作動し、エアサスペンションの影響で各タイヤにかかる荷重が変化し、タイヤの車輪回転速度に影響を及ぼした場合であっても、タイヤ空気圧の低下を正確に検出することができるタイヤ空気圧異常警報方法、装置およびプログラムを提供することができる。
【発明を実施するための最良の形態】
【００１８】
以下、添付図面に基づいて、本発明のタイヤ空気圧異常警報方法および装置、ならびにプログラムを説明する。
【００１９】
図１に示すように、本発明の実施の形態にかかわるタイヤ空気圧低下警報装置は、車両に備えられた４つのタイヤＦＬ、ＦＲ、ＲＬおよびＲＲの空気圧が低下しているか否かを検出するもので、タイヤにそれぞれ関連して設けられた通常の車輪回転速度検出手段１を備えている。
【００２０】
前記車輪回転速度検出手段１としては、電磁ピックアップなどを用いて回転パルスを発生させてパルスの数から回転角速度および車輪速度を測定するための車輪速センサまたはダイナモのように回転を利用して発電を行ない、この電圧から回転角速度および車輪速度を測定するためのものを含む角速度センサなどを用いることができる。前記車輪回転速度検出手段１の出力はＡＢＳなどのコンピュータである制御ユニット２に与えられる。制御ユニット２には、空気圧が低下したタイヤを知らせるための液晶表示素子、プラズマ表示素子またはＣＲＴなどで構成された表示器３、ドライバーによって操作することができる初期化スイッチ４および警報器５が接続されている。
【００２１】
前記制御ユニット２は、図２に示されるように、外部装置との信号の受け渡しに必要なＩ／Ｏインターフェイス２ａと、演算処理の中枢として機能するＣＰＵ２ｂと、該ＣＰＵ２ｂの制御動作プログラムが格納されたＲＯＭ２ｃと、前記ＣＰＵ２ｂが制御動作を行なう際にデータなどが一時的に書き込まれたり、その書き込まれたデータなどが読み出されるＲＡＭ２ｄとから構成されている。
【００２２】
本発明の第一の態様におけるタイヤの空気圧低下異常警報方法は、エアサスペンションを搭載した車両において、左右輪におけるストロークの高さの差に基づいて、エアサスペンションの影響で各タイヤにかかる荷重が変化し、タイヤの車輪回転速度に影響を及ぼしたかどうかを判断し、エアサスペンションが影響を及ぼした場合には、タイヤ空気圧の低下の判定を行わない工程（以下、工程Ａとする）を含む。
【００２３】
エアサスペンションが作動しているときには、より荷重のかかっているタイヤの回転速度が速くなるが、この現象は、タイヤの空気圧の低下に基づくものではないので、このデータをそのまま減圧判定に使用することができない。図３に示すように、エアサスペンションが作動すると、左右輪におけるストロークの高さに差が生じるので、この差を検出すれば、タイヤの回転速度が速くなっている原因が、エアサスペンションによるのかどうかを特定することができる（ステップＳ１１〜１３）。たとえば、前輪または後輪の左右輪におけるストロークの高さの差がしきい値Ｔｈ２をこえる場合には、ある一輪のタイヤの回転速度が速くなった原因が、エアサスペンションの作動であると認定することができる（ステップＳ１３〜１４）。具体的な判定式としては、たとえば下記式（２）および（３）があげられる。
｜前左輪のストロークの高さ−前右輪のストロークの高さ｜＞Ｔｈ２        （２）
｜後左輪のストロークの高さ−後右輪のストロークの高さ｜＞Ｔｈ２        （３）
【００２４】
式（２）および（３）において、Ｔｈ２は、たとえば、２０ｍｍであるが、走行環境、車両の種類、タイヤサイズなどによって変化させることが好ましい。
【００２５】
工程Ａでは、ある一輪のタイヤの回転速度が速くなった原因が、エアサスペンションが影響を及ぼし、エアサスペンションによる変動と判断した場合には、タイヤの空気圧低下の判定を行わない（ステップＳ１３〜１４）。なお、（２）の条件も（３）の条件も同時に満たさなかった場合にタイヤの空気圧判定を行う（ステップＳ１３、１５）。
【００２６】
タイヤの空気圧低下の判定の方法としては、たとえば、減圧したタイヤは、正常内圧のタイヤと比較して、動荷重半径平均が小さくなることから、１輪だけ回転車輪速度が速くなることを利用した方法などの公知の手段を使用することができ、とくに制限はない。
【００２７】
このように、タイヤの空気圧低下を精度よく判定できるもののみを適用することで、エアサスペンションが作動し、エアサスペンションの影響で各タイヤにかかる荷重が変化し、ある１輪のタイヤの回転速度が速くなった場合であっても、精度良くタイヤの空気圧低下の判定を行うことができる。
【００２８】
本発明の第二の態様におけるタイヤの空気圧低下異常警報方法は、エアサスペンションを搭載した車両において、左右輪におけるストロークの高さの差に基づいて、エアサスペンションの影響で各タイヤにかかる荷重が変化し、タイヤの車輪回転速度に影響を及ぼしたかどうかを判断し、エアサスペンションが影響を及ぼした場合には、タイヤ空気圧の低下の判定を行うためのしきい値を増加させる工程（以下、工程Ｂとする）を含む。
【００２９】
エアサスペンションがタイヤの車輪回転速度に影響を及ぼしたかどうかの判断は、本発明の第一の態様で説明したのと同様の方法で判定することができる。また、図４に示すように、前輪または後輪の左右輪におけるストロークの高さの差がしきい値Ｔｈ２をこえる場合には、工程Ａと同様に、ある一輪のタイヤの回転速度が速くなった原因が、エアサスペンションの作動であると認定する（ステップＳ２３）。なお、ここで、しきい値Ｔｈ２は、工程Ａにおけるしきい値Ｔｈ２と同じ値に限定されるものではなく、違う値に設定することもあり、走行環境、車両の種類、タイヤサイズなどによって変化させることが好ましい。
【００３０】
工程Ｂでは、前輪または後輪の左右のタイヤのストロークの高さの差がしきい値Ｔｈ２より大きい場合（ストロークの高さの差＞Ｔｈ２）、タイヤ空気圧低下の判定のためのしきい値を増加させる。エアサスペンションが作動しているときには、より荷重のかかっているタイヤの回転速度が速くなるため、エアサスペンションが作動していないときと比較して、タイヤの空気圧低下の判定を行うための判定値が増加する。そのため、エアサスペンションが作動していると判定したときには、タイヤ空気圧の低下の判定を行うためのしきい値をＰＴｈ１より大きいＰＴｈ２に増加させて、エアサスペンションがタイヤの車輪回転速度に影響を及ぼした場合に、タイヤの空気圧低下の判定を行うためのしきい値をこえないように設定することにより、タイヤの空気圧低下を原因とする回転速度の増加をより正確に判定することができる（ステップＳ２３〜２５）。具体的には、タイヤ空気圧の低下の判定を行うためのしきい値を１．３倍にする方法などがあげられる。１．３倍は、単なる一例であり、走行条件、車両の種類、タイヤサイズなどによって変化させることが好ましい。
【００３１】
工程Ｂでは、ある一輪のタイヤの回転速度が速くなった原因が、エアサスペンションが影響を及ぼし、エアサスペンションによる変動と判断した場合には、タイヤの空気圧低下の判定を行うためのしきい値を増加させ、タイヤの空気圧低下の判定を行う（ステップＳ２３〜２６）。さらに、前記（２）の条件も（３）の条件も同時に満たさなかった場合には、タイヤの空気圧低下のためのしきい値を増加させず、タイヤの空気圧低下の判定を行う（ステップＳ２３，２６）。
【００３２】
タイヤの空気圧低下の判定の方法としては、とくに制限はなく、本発明の第一の態様と同様とすることができる。
【００３３】
このように、タイヤの空気圧低下を精度よく判定できるデータについては、そのまま用い、タイヤの空気圧低下を精度よく判定できないデータについては、タイヤの空気圧低下のためのしきい値を増加させることで、エアサスペンションが作動し、エアサスペンションの影響で各タイヤにかかる荷重が変化し、ある１輪のタイヤの回転速度が速くなった場合であっても、精度良くタイヤの空気圧低下の判定を行うことができる（ステップＳ２３〜２６）。
【００３４】
本発明の第三の態様におけるタイヤの空気圧低下異常警報方法は、エアサスペンションを搭載した車両において、左右輪におけるストロークの高さの差に基づいて、エアサスペンションの影響で各タイヤにかかる荷重が変化し、タイヤの車輪回転速度に影響を及ぼしたかどうかを判断し、エアサスペンションが影響を及ぼした場合には、タイヤの空気圧低下の判定を行うための判定値を補正する工程（以下、工程Ｃとする）を含む。
【００３５】
図５に示すように、工程Ｃでは、まず、｜前左輪のストロークの高さ−前右輪のストロークの高さ｜と、｜後左輪のストロークの高さ−後右輪のストロークの高さ｜とを比較し、大きいほうの値（以下、ＭａｘＤｅｌｔａとする）を採用する。
【００３６】
ＭａｘＤｅｌｔａがしきい値Ｔｈ２（たとえば、２０ｍｍ）より大きければ、工程Ａと同様に、ある一輪のタイヤの回転速度が速くなった原因が、エアサスペンションの作動であると認定することができる（ステップＳ３３〜３４）。
【００３７】
また、ＭａｘＤｅｌｔａがしきい値Ｔｈ１（たとえば、１０ｍｍ）より小さければ、ある一輪のタイヤの回転速度が速くなった原因が、エアサスペンションが影響を及ぼしたのでなく、エアサスペンションにより変動したのではないと認定することができる（ステップＳ３５，３８）。
【００３８】
ここで、しきい値Ｔｈ１およびＴｈ２は、工程Ａまたは工程Ｂにおけるしきい値Ｔｈ２と同じ値に限定されるものではなく、違う値に設定することもあり、走行環境、車両の種類、タイヤサイズなどによって変化させることが好ましい。
【００３９】
最後に、ＭａｘＤｅｌｔａがＴｈ１〜Ｔｈ２の範囲内の場合は、ある一輪のタイヤの回転速度が速くなった原因が、エアサスペンションが影響を及ぼし、エアサスペンションによる変動の場合と、そうではない場合の両方がありうるため、タイヤの空気圧低下の判定を行うための判定値を補正することにより、タイヤの空気圧低下を原因とする回転速度の増加をより正確に判定することができる（ステップＳ３３〜３７）。
【００４０】
タイヤの空気圧低下の判定を行うための判定値の補正手段としては、具体的には、式（４）を用いて、判定値を補正する方法などがあげられる。式（４）の補正方法の説明を図６に示す。
（補正後の判定値）＝（補正前の判定値）×（ａ／ｂ）                    （４）
ａ＝（（ＭａｘＤｅｌｔａ−Ｔｈ１）×Ｆａｃ１＋Ｔｈ２−ＭａｘＤｅｌｔａ）
ｂ＝（Ｔｈ２−Ｔｈ１）×１００
【００４１】
式（４）において、Ｆａｃ１は、最大（ＭａｘＤｅｌｔａがＴｈ２のとき）の判定値の補正量に依存し、たとえば、１０／２５６であるが、これは一例にすぎず、走行条件、車両の種類、タイヤサイズなどによって変化させることが好ましい。
【００４２】
工程Ｃでは、ある一輪のタイヤの回転速度が速くなった原因が、エアサスペンションが影響を及ぼし、エアサスペンションによる変動と判断した場合には、タイヤの空気圧低下の判定を行わない（ステップＳ３３〜３４）。また、ある一輪のタイヤの回転速度が速くなった原因が、エアサスペンションが影響を及ぼしたのでなく、エアサスペンションにより変動したのではないと判断した場合には、そのままタイヤの空気圧低下の判定を行う（ステップＳ３５，３８）。さらに、ある一輪のタイヤの回転速度が速くなった原因が、エアサスペンションが影響を及ぼし、エアサスペンションによる変動によるものかどうか、不明確な場合は、タイヤの空気圧低下の判定を行うための判定値を補正し、タイヤの空気圧低下の判定を行う（ステップＳ３５〜３８）。
【００４３】
タイヤの空気圧低下の判定の方法としては、とくに制限はなく、本発明の第一の態様と同様とすることができる。
【００４４】
このように、タイヤの空気圧低下を精度よく判定できるデータについては、そのまま用い、タイヤの空気圧低下を精度よく判定できないデータについては、適用せず、さらに、タイヤの空気圧低下を精度よく判定できるかどうか不明なデータについては、タイヤの空気圧低下の判定を行うための判定値を補正することで、エアサスペンションが作動し、エアサスペンションの影響で各タイヤにかかる荷重が変化し、ある１輪のタイヤの回転速度が速くなった場合であっても、精度良くタイヤの空気圧低下の判定を行うことができる。
【００４５】
以上、本発明のタイヤ空気圧異常警報方法について説明したが、本発明のタイヤ空気圧異常警報装置およびタイヤ空気圧異常警報プログラムについても、同様である。
【実施例】
【００４６】
次に、実施例に基づいて本発明を具体的に説明するが、本発明はこれらのみに限定されるものではない。
【００４７】
試験用の二人乗りＦＲ車に、４輪すべてにサイズ２２５／５０Ｒ１７のタイヤを装着した。このとき、前軸および後軸ともに、エアサスペンションを搭載した。
【００４８】
前記ＦＲ車を、長い直線のあるテストコースで３０秒間走行させ、その間のＭａｘＤｅｌｔａを測定し、補正前の判定値および補正後の判定値を算出した。
【００４９】
ここで、補正前の判定値ＤＥＬは、式（５）を用いて算出した。
ＤＥＬ＝（（ＦＬ＋ＲＲ）／２−（ＦＲ＋ＲＬ）／２）
÷（（ＦＬ＋ＦＲ＋ＲＬ＋ＲＲ）／４）×１００              （５）
【００５０】
図７は、本発明の実施例にかかわるタイヤ空気圧異常警報方法において、エアサスペンションを搭載した車両を用いて、判定値を補正した場合と、補正しなかった場合の測定結果を比較し、補正した場合には判定値が０．１を下回ることを示すグラフである。
【００５１】
通常、判定値が約０．１でタイヤの空気圧が低下していると判定する。つまり、エアサスペンションを搭載した車両において、判定値を補正しない場合、実験開始から６秒間、タイヤの空気圧が低下していると判定（誤報）してしまうことになることがわかった。
【００５２】
それに対して、判定値を補正した場合には、判定値が大きくなることはなく、誤報を防ぐことができることがわかった。
【図面の簡単な説明】
【００５３】
【図１】本発明のタイヤ空気圧異常警報装置の一実施の形態を示すブロック図である。
【図２】図１のタイヤ空気圧異常警報装置の電気的構成を示すブロック図である。
【図３】本実施の形態の第一の態様に関わるフローチャートの一例である。
【図４】本実施の形態の第二の態様に関わるフローチャートの一例である。
【図５】本実施の形態の第三の態様に関わるフローチャートの一例である。
【図６】本実施の形態の第三の態様に関わる空気圧低下判定の補正方法の一例である。
【図７】本発明の実施例にかかわるタイヤ空気圧異常警報方法において、エアサスペンションを搭載した車両において、判定値を補正した場合と、補正しなかった場合の測定結果を比較したグラフである。
【符号の説明】
【００５４】
１  車輪回転速度検出手段
２  制御ユニット
２ａ  Ｉ／Ｏインターフェイス
２ｂ  ＣＰＵ
２ｃ  ＲＯＭ
２ｄ  ＲＡＭ
３  表示器
４  初期化スイッチ
５  警報器
【図１】
2008044600.tif 000003
【図２】
2008044600.tif 000004
【図３】
2008044600.tif 000005
【図４】
2008044600.tif 000006
【図５】
2008044600.tif 000007
【図６】
2008044600.tif 000008
【図７】
2008044600.tif 000009